(57)【要約】      （修正有）【課題】リム装飾枠の隙間がメガネフレームの前側（前面又は正面）に露出して見えることを防止することで、リム装飾枠による装飾効果の低下を抑制でき、メガネフレームの意匠や品質を高めることができるメガネ鎧構造を提供する。【解決手段】リム３と、リム３の上端部３ａ及び下端部３ｂと、リム３の上端部３ａ及び下端部３ｂに設けられる上片部４ａ及び下片部４ｂが固定具８を介して連結されるリムロック４と、リム３とは別体でリムロック４に隣り合う箇所で上下に分離してできる上端部７ａ及び下端部７ｂを有してリム３に沿って周設され、リム３前面を装飾する輪状のリム装飾枠７とを有したメガネ鎧構造であって、リムロック４は、リムロック４側から延設されてリム装飾枠７の上端部７ａ及び下端部７ｂ並びにこれら両端部の間部分の前方に覆い被さって隠す目隠鎧部６を備えている。【選択図】図３
0003231711.tif 000002
【実用新案登録請求の範囲】
【請求項１】
レンズの外周に周設されレンズを保持する輪状のリムと、そのリムを後記リムロック側の部分で上下に分離してできる当該リムの上端部及び下端部と、そのリムの上端部及び下端部に設けられる上片部及び下片部を有しており当該上片部及び下片部が固定具を介して連結されるリムロックと、前記リムとは別体であって前記リムロックに隣り合う箇所で上下に分離してできる上端部及び下端部を有しており当該リムに沿って周設されて当該リム前面を装飾する輪状のリム装飾枠とを有しているメガネフレームに関するメガネ鎧構造において、
前記リムロックは、前記リム装飾枠の上端部及び下端部並びにこれら上端部及び下端部の間部分の前方に覆い被さるように当該リムロック側から延設され、当該リム装飾枠の上端部及び下端部並びにこれら上端部及び下端部の間部分を覆い隠す目隠鎧部を備えていることを特徴とするメガネ鎧構造。
【請求項２】
前記目隠鎧部は、平面視した状態で、前記リム装飾枠の前面との間に所定の間隔を挟んで対向配置されていることを特徴とする請求項１記載のメガネ鎧構造。
【請求項３】
前記目隠鎧部は、前記リムロックの上片部及び下片部の分離面を境に上下に分離形成されており、この分離面を境に、前記上片部に一体化した上鎧部と、前記下片部に一体化した下鎧部とを備えており、
その目隠鎧部の前記上鎧部及び下鎧部の分離面に沿って当該目隠鎧部の前面に筋状に刻設される装飾溝を備えていることを特徴とする請求項１又は２に記載のメガネ鎧構造。
【請求項４】
請求項１から３のいずれかに記載のメガネ鎧構造を備えていることを特徴とするメガネフレーム。
【考案の詳細な説明】
【技術分野】
【０００１】
本考案は、メガネフレームに関するメガネ鎧構造とそのメガネフレームとに関するものである。
【背景技術】
【０００２】
図５（ａ）は、従来のメガネフレームの正面図であり、図５（ｂ）は、図５（ａ）のメガネフレームの正面右側（図５（ａ）のＡ部）にあるリムロックの配設部分の拡大正面図であり、図５（ｃ）は、図５（ａ）に示したリムロックの配設部分（図５（ａ）のＡ部）の平面図であり、図５（ｄ）は、図５（ａ）に示したリムロックの配設部分（図５（ａ）のＡ部）の右側面図である。
【０００３】
図５（ａ）に示すように、従来のコンビネーションフレーム型のメガネフレーム２０は、左右一対のリム３，３、左右一対のリムロック４，４と、左右一対のテンプル５，５とを有しているフレーム本体２１と、そのフレーム本体２１にある左右一対のリム３，３の内周にそれぞれ填め込まれた状態で周着されているインナーリム（内リム）と呼ばれる左右一対のリム装飾枠７，７とを備えている。
【０００４】
このメガネフレーム２０のリム装飾枠７は、フレーム本体２１の装飾性や意匠性の向上を図るための部材である。例えば、このようなコンビネーションフレームのメガネフレーム２０について、フレーム本体２１のリム３が金属製である場合、これに異なる質感や意匠を与えるため、かかるフレーム本体２１のリム３とは異なる色彩、素材感、色味、模様その他のデザインを有しているリム装飾枠７が用いられる。
【０００５】
このリム装飾枠７は、リム３の前面、リム３の内周面及びリム３の背面を覆うように形成されており、このリム装飾枠７が装着されたリム３は、そのリム３の外周面だけが金属的質感を呈して、残ったリム３の前面、内周面、及び背面がリム装飾枠７が有する色彩、素材感、色味、模様となり、メガネフレーム２０の意匠性を向上できる。
【０００６】
ところが、金属製のリム３と樹脂製のリム装飾枠７とは互いに熱膨張率が異なるため、リム装飾枠７がリム３に対して当該リム３の内周で相対的に縮んでしまうことがある。このため、リム装飾枠７をリム３に固定してしまうと、両者の伸縮差によってリム装飾枠７がリム３から剥離して破損する虞がある。そこで、リム装飾枠７は、当該リム３の内周部に周着されてはいるが、リム３に対して固定されずに別体のままリム３の内周に填め込まれている。
【０００７】
そのうえ、切れ目のない輪状のリム装飾枠７がリム３の内側で相対的に伸縮すると、リム３内でリム装飾枠７が歪んで破損する虞がある。このため、リム装飾枠７には、リムロック４の近傍にある箇所に切れ目が設けられており、この切れ目で上下に分離した上端部７ａと下端部７ｂとが設けられている。
【０００８】
図５（ｂ）から図５（ｄ）に示すように、このリム装飾枠７の上端部７ａと下端部７ｂとの間部分（にある切れ目）７ｃには所定の隙間Ｗ１ができるように形成されており、この隙間Ｗ１がリム装飾枠７の伸張時の伸張量（長さ）より大きくなっており、リム装飾枠７が伸張した場合に、この隙間Ｗ１でその伸張量を吸収して、リム装飾枠７がリム３の内側で歪むことを防止している。
【考案の概要】
【考案が解決しようとする課題】
【０００９】
しかしながら、図５（ａ）、図５（ｂ）及び図５（ｄ）に示すように、上記したリム装飾枠７の上下端部７ａ，７ｂの間部分（切れ目）７ｃにできる隙間Ｗ１は、リム３の前面（正面）に露出して見えてしまうので、当該リム装飾枠７による装飾効果が低下してしまい、メガネフレーム２０の意匠や品質を損なうという問題点があった。しかも、このリム装飾枠７の上下端部７ａ，７ｂの間部分（切れ目）７ｃにできる隙間Ｗ１をなくしてしまうと、上記したようにリム装飾枠７の伸縮に伴う歪みが生じてしまうため、かかる隙間Ｗ１を無くすこともできないという問題点があった。
【００１０】
本考案は、上述した問題点を解決するためになされたものであり、リム装飾枠の隙間がメガネフレームの前側（前面又は正面）に露出して見えることを防止することで、リム装飾枠による装飾効果の低下を抑制でき、メガネフレームの意匠や品質を高めることができるメガネ鎧構造及びメガネフレームを提供することを目的としている。
【課題を解決するための手段】
【００１１】
この目的を達成するために、第１考案のメガネ鎧構造は、レンズの外周に周設されレンズを保持する輪状のリムと、そのリムを後記リムロック側の部分で上下に分離してできる当該リムの上端部及び下端部と、そのリムの上端部及び下端部に設けられる上片部及び下片部を有しており当該上片部及び下片部が固定具を介して連結されるリムロックと、前記リムとは別体であって前記リムロックに隣り合う箇所で上下に分離してできる上端部及び下端部を有しており当該リムに沿って周設されて当該リム前面を装飾する輪状のリム装飾枠とを有しているメガネフレームに関するメガネ鎧構造であって、前記リムロックは、前記リム装飾枠の上端部及び下端部並びにこれら上端部及び下端部の間部分の前方に覆い被さるように当該リムロック側から延設され、当該リム装飾枠の上端部及び下端部並びにこれら上端部及び下端部の間部分を覆い隠す目隠鎧部を備えている。
【００１２】
この第１考案のメガネ鎧構造によれば、リムロックには、目隠鎧部が当該リムロック側からリム装飾枠の上端部及び下端部並びにこれら上端部及び下端部の間部分の前方に向けてこれらに覆い被さるように延設されており、結果、この目隠鎧部によってリム装飾枠の上端部及び下端部並びにこれら上端部及び下端部の間部分が前方から見えないようように覆い隠されるので、リム装飾枠の上端部及び下端部の間に隙間ができても、この隙間がメガネフレームの前側（前面又は正面）に露出して対面する他者に見えてしまうことを抑制できる。
【００１３】
第２考案のメガネ鎧構造は、第１考案のメガネ鎧構造において、前記目隠鎧部は、平面視した状態で、前記リム装飾枠の前面との間に所定の間隔を挟んで対向配置されている。
【００１４】
この第２考案のメガネ鎧構造によれば、第１考案のメガネ鎧構造と同様の作用及び効果を奏するうえ、目隠鎧部は、これを平面視した状態で、リム装飾枠の前面との間に所定の間隔を挟んで対向配置されているので、リム装飾枠が目隠鎧部と直接接触することが防止でき、リム装飾枠が目隠鎧部に擦れて傷つくなどの損傷を防止できる。
【００１５】
第３考案のメガネ鎧構造は、第１又は第２考案のメガネ鎧構造において、前記目隠鎧部は、前記リムロックの上片部及び下片部の分離面を境に上下に分離形成されており、この分離面を境に、前記上片部に一体化した上鎧部と、前記下片部に一体化した下鎧部とを備えており、その目隠鎧部の前記上鎧部及び下鎧部の分離面に沿って当該目隠鎧部の前面に筋状に刻設される装飾溝を備えている。
【００１６】
この第３考案のメガネ鎧構造によれば、第１又は第２考案のメガネ鎧構造と同様の作用及び効果を奏するうえ、リムロックの上片部及び下片部を分離面で上下に当接することで、これらに一体化された目隠鎧部の上鎧部及び下鎧部が上下に当接される。また、この目隠鎧部の上鎧部及び下鎧部の分離面に沿って目隠鎧部の前面に筋状に装飾溝が刻設されるので、この分離面の存在を装飾溝によって見えづらくすることができる。しかも、目隠鎧部の前面に装飾溝があることで、目隠鎧部の意匠性も向上できる。
【００１７】
第４考案のメガネフレームは、請求項１から３のいずれかに記載のメガネ鎧構造を備えている。この第４考案のメガネフレームによれば、第１から第３考案のメガネ鎧構造と同様の作用及び効果を奏するものである。
【考案の効果】
【００１８】
本考案のメガネ鎧構造及びメガネフレームによれば、リム装飾枠の上端部及び下端部の間に隙間ができても、この隙間をリムロックに備わる目隠鎧部によって覆い隠すことができるので、かかる隙間がメガネフレームの前側から見えることを抑制できる。よって、リム装飾枠の隙間がメガネフレームの前面（正面）に露出することに伴う装飾効果の低下を抑制でき、メガネフレームの意匠や品質を高めることができるという効果がある。
【図面の簡単な説明】
【００１９】
【図１】（ａ）は、本考案の実施形態の一例である鎧構造及びそれを有したメガネフレームの正面図であり、（ｂ）は、このメガネフレームの平面図である。
【図２】（ａ）は、図１（ａ）のメガネフレームの右側面図であり、（ｂ）は、図１（ａ）のメガネレームに用いられるフレーム本体の正面図であり、（ｃ）は、図１のメガネフレームのリム装飾枠の正面図である。
【図３】（ａ）は、図１（ａ）のメガネフレームの正面右側（図１（ａ）のＡ部）にあるリムロックの配設部分の拡大正面図であってリムロックの分離状態を図示しており、（ｂ）は、メガネフレームの正面右側（図１（ａ）のＡ部）にあるリムロックの配設部分の拡大正面図であり、（ｃ）は、図３（ｂ）に示した目隠鎧部を部分的に断面視して背後にあるリム装飾枠の切れ目（隙間）を表した拡大正面図である。
【図４】（ａ）は、図３（ｂ）に示したリムロックの配設部分（図１（ｂ）のＢ部）の拡大平面図であり、（ｂ）は、図３（ｂ）のＤ−Ｄ線における断面図であってリムロックを底面側から投影視した拡大図であり、図４（ｃ）は、図３（ｂ）に示したリムロックの配設部分（図２（ａ）のＣ部）の拡大右側面図である。
【図５】（ａ）は、従来のメガネフレームの正面図であり、（ｂ）は、（ａ）のメガネフレームの正面右側（図５（ａ）のＡ部）にあるリムロックの配設部分の拡大正面図であり、（ｃ）は、（ａ）に示したリムロックの配設部分（図５（ａ）のＡ部）の平面図であり、（ｄ）は、（ａ）に示したリムロックの配設部分（図５（ａ）のＡ部）の右側面図である。
【考案を実施するための形態】
【００２０】
以下、添付図面を参照して、本考案の最適な実施形態について説明する。図１（ａ）は、本考案の実施形態の一例である鎧構造及びそれを有したメガネフレーム１の正面図であり、図１（ｂ）は、このメガネフレーム１の平面図である。
【００２１】
図２（ａ）は、図１（ａ）のメガネフレーム１の右側面図であり、図２（ｂ）は、図１（ａ）のメガネフレーム１に用いられるフレーム本体２の正面図であり、図２（ｃ）は、図１のメガネフレーム１のリム装飾枠７の正面図である。
【００２２】
ここで、本実施形態では、メガネフレーム１の一例としてフルリム型のコンビネーションフレームについて説明している。なお、図１（ａ）及び図１（ｂ）に示したメガネフレーム１は左右対称に形成されており、このため、図２（ａ）のメガネフレーム１の右側面図は、当該メガネフレーム１の左側面図と左右対称に表れる。
【００２３】
図１に示すように、メガネフレーム１は、左右一対のリム３，３と、左右一対のリムロック４，４と、左右一対のテンプル５，５と、左右一対の目隠鎧部６，６と有しているフレーム本体２と、このフレーム本体２の左右一対のリム３，３に装着される左右一対のリム装飾枠７，７とを備えている。
【００２４】
図１（ａ）に示すように、メガネフレーム１のフレーム本体２のリム３は、レンズ１０の外周に周設される輪状に形成されており、この内周部にリム装飾枠７及びレンズ１０を保持している。リム装飾枠７は、レンズ１０の外周縁部及びリム３の内周縁部に沿って設けられており、リム３とレンズ１０との間に挟持されている。
【００２５】
このコンビネーションフレームタイプのメガネフレーム１には、様々な形態のものがあり、例えば、フレーム本体２の金属製のリム３に対し、鼈甲模様が施されたセルロイドなどの樹脂材料で形成されたリム装飾枠７を装着したものなどがある。このように、金属製のリム３とは異なる色彩や模様や素材のものでリム装飾枠７を形成することで、リム３に異なる質感や意匠を付与することができる。
【００２６】
図１（ａ）から図２（ａ）に示すように、リム装飾枠７は、リム３の内周部に填め込まれた状態で設けられており、リム３の前面及び後面を装飾している。また、図２（ｂ）及び図２（ｃ）に示すように、リム装飾枠７は、リム３とは別体に形成されており、このリム装飾枠７は、リム３とは異なる素材、色彩、模様で形成されるものであり、リム３と組み合わせることでリム３の装飾効果を向上させる機能を備えている。
【００２７】
図２（ｃ）に示すように、左右一対のリム装飾枠７，７は、セルロイドなどの弾性的に変形可能な樹脂材料で輪状に形成されている。このリム装飾枠７は、その一箇所が上下に分離してできる上端部７ａ及び下端部７ｂを備えており、この上端部７ａ及び下端部７ｂの間部分７ｃが切れ目となっている。なお、以下、リム装飾枠７の上端部７ａ及び下端部７ｂの間部分７ｃを「切れ目７ｃ」ともいう。
【００２８】
このリム装飾枠７の切れ目７ｃには、弾性的変形や熱膨張による伸縮などによって隙間Ｗ１ができることがあり、この隙間Ｗ１の幅がリム装飾枠７の変形に伴って拡縮するようになっている。つまり、リム装飾枠７が熱収縮すると、当該リム装飾枠７の上端部７ａ及び下端部７ｂの間部分７ｃにできる隙間Ｗ１が拡大してメガネフレーム１の外観上好ましくない印象を与える場合があるのである。
【００２９】
図３（ａ）は、図１（ａ）のメガネフレーム１の正面右側（図１（ａ）のＡ部）にあるリムロック４の配設部分の拡大正面図であってリムロック４の分離状態を図示している。図３（ｂ）は、メガネフレーム１の正面右側（図１（ａ）のＡ部）にあるリムロック４の配設部分の拡大正面図である。図３（ｃ）は、図３（ｂ）に示した目隠鎧部６を部分的に断面視して背後にあるリム装飾枠７の切れ目７ｃ（隙間Ｗ１）を表した拡大正面図である。
【００３０】
図３（ａ）に示すように、リム３は、リムロック４側にある部分で上下に分離してできる上端部３ａ及び下端部３ｂを備えている。リムロック４は、リム３の上端部３ａに一体化して設けられる上片部４ａと、リム３の下端部３ｂに一体化して設けられる下片部４ｂとを備えており、当該上片部４ａ及び下片部４ｂがビス及び座金などの固定具８を介した締結により連結されことで、リム３の上端部３ａ及び下端部３ｂを接合するようになっている。
【００３１】
目隠鎧部６は、リムロック４に一体的に設けられており、リムロック４の上片部４ａ及び下片部４ｂの分離面４ｃを境に上下に分離形成されており、この分離面４ｃを境に、リムロック４の上片部４ａに一体化された上鎧部６ａと、リムロック４の下片部４ｂに一体化された下鎧部６ｂとを備えている。
【００３２】
図３（ｂ）に示すように、目隠鎧部６の前面には、水平方向に延びる筋状の形態をした複数本の装飾溝６ｃが上下方向に等間隔で刻設されている。また、図３（ｂ）及び図３（ｃ）に示すように、リム装飾枠７は、図２（ｃ）に示したその上下に分離してできる上端部７ａ及び下端部７ｂ並びのこれらの間部分７ｃがリムロック４に隣り合う箇所に位置するようになっている。
【００３３】
図４（ａ）は、図３（ｂ）に示したリムロック４の配設部分（図１（ｂ）のＢ部）の拡大平面図である。図４（ｂ）は、図３（ｂ）のＤ−Ｄ線における断面図であってリムロック４を底面側から投影視した拡大図である。図４（ｃ）は、図３（ｂ）に示したリムロック４の配設部分（図２（ａ）のＣ部）の拡大右側面図である。
【００３４】
図４（ａ）及び図４（ｂ）に示すように、目隠鎧部６は、メガネフレーム１を平面視及び底面視した状態で、リム装飾枠７の前面との間に所定の間隔Ｗ２を挟んで対向配置されている。この間隔Ｗ２によって、目隠鎧部６がリム装飾枠７の前面に直接接触することを防止している。
【００３５】
図３（ｂ）、図４（ａ）及び図４（ｂ）に示すように、目隠鎧部６は、上記したリム装飾枠７の上端部７ａ及び下端部７ｂ並びにこれら上端部７ａ及び下端部７ｂの間部分７ｃの前方に覆い被さるように、リムロック４側（図３（ｂ）、図４（ａ）及び図４（ｂ）の右側）からメガネフレーム１の内方（図３（ｂ）、図４（ａ）及び図４（ｂ）の左側）へ向かって水平に延設されており、この延設によってリム装飾枠７の上端部７ａ及び下端部７ｂ並びにこれら上端部７ａ及び下端部７ｂの間部分７ｃ（この間部分７ｃに生じる隙間Ｗ１を含む。）を覆い隠している。これによって、リム装飾枠７の上端部７ａ及び下端部７ｂの間にできる切れ目７ｃ（隙間Ｗ１）がメガネフレーム１の前側（前面側又は正面側）に露出して見えることを防止している（図３（ｂ）参照。）
【００３６】
図３（ｂ）及び図４（ｃ）に示すように、目隠鎧部６の前面における上下方向中央に位置する装飾溝６ｃは、目隠鎧部６の上鎧部６ａ及び下鎧部６ｂの分離面６ｄ（リムロック４の分離面４ｃと同一面となる。以下同じ。）に沿って刻設されており、この装飾溝６ｃによって目隠鎧部６の上鎧部６ａ及び下鎧部６ｂの分離面６ｄの存在が見え難くなっている。
【００３７】
以上、実施形態に基づき本考案を説明したが、本考案は上記実施形態に何ら限定されるものではなく、本考案の趣旨を逸脱しない範囲内で種々の改良変形が可能であることは容易に推察できるものである。例えば、本実施形態では、リムロック４に目隠鎧部６を一体的に設けたが、かかる目隠鎧部は、リムロックとは別体に形成されたものであって、リムロックに取り付けられるものであっても良い。
【符号の説明】
【００３８】
１        メガネフレーム
２        フレーム本体
３，３    リム
３ａ      リムの上端部
３ｂ      リムの下端部
４，４    リムロック
４ａ      リムロックの上片部
４ｂ      リムロックの下片部
４ｃ      分離面
５，５    テンプル
６，６    目隠鎧部
６ａ      目隠鎧部の上鎧部
６ｂ      目隠鎧部の下鎧部
６ｃ      装飾溝
６ｄ      分離面
７，７    リム装飾枠
７ａ      リム装飾枠の上端部
７ｂ      リム装飾枠の下端部
７ｃ      リム装飾枠の上端部及び下端部の間部分（切れ目）
８        固定具
１０      レンズ
Ｗ１      リム装飾枠の上端部及び下端部の間部分（切れ目）にできる隙間
Ｗ２      目隠鎧部とリム装飾枠との間にできる間隔
【図１】
0003231711.tif 000003
【図２】
0003231711.tif 000004
【図３】
0003231711.tif 000005
【図４】
0003231711.tif 000006
【図５】
0003231711.tif 000007